(57)【要約】【課題】増設メモリにアクセスしない場合には、セルフリフレッシュモードを実行させ、機器全体として消費電力の抑制を図ることのできる電子機器を提供する。【解決手段】メモリアクセスのないときには増設メモリ３をセルフリフレッシュモードに保持する一方、メモリアクセスの対象になったときには、セルフリフレッシュ指令を解除して、データの読出し、書き込みを行うことを特徴とするメモリ制御手段１を少なくとも備えている。【選択図】図１
2006262099.tif 000002
【特許請求の範囲】
【請求項１】
画像メモリに増設メモリを付加搭載している電子機器において、
メモリアクセスのないときには上記増設メモリをセルフリフレッシュモードに保持する一方、メモリアクセスの対象になったときには、セルフリフレッシュ指令を解除して、データの読出し、書き込みを行うことを特徴とするメモリ制御手段を少なくとも備えた電子機器。
【請求項２】
請求項１において、
上記メモリ制御手段は、画像メモリ、増設メモリには、常時はリフレッシュモード設定信号を送出しており、上記増設メモリがアクセスされないときには、上記セルフリフレッシュモード設定信号に切換えるようにしている電子機器。
【請求項３】
請求項１または２において、
上記電子機器は、ファクシミリ装置、プリンタ装置、ネットワークスキャナ装置、あるいはそれらの少なくとも２以上の機能を備えた複合機である電子機器。
【発明の詳細な説明】
【技術分野】
【０００１】
本発明は、画像メモリに増設メモリを付加搭載している電子機器の改良に関する。
【背景技術】
【０００２】
従来より、この種の電子機器は公知である。下記特許文献１は、この種の電子機器を提案している。
【０００３】
この種の電子機器では、画像データを通信ネットワークを通じて受信したとき、あるいは、相手先装置のポーリング受信用に画像データを蓄積させる際には、画像メモリへの画像データの蓄積を行う。
【０００４】
ところが、画像データを画像メモリに蓄積を行い、その画像メモリ容量が不足したときには、増設メモリにアクセスして、残りの画像データをその増設メモリに蓄積し、画像データ全体の蓄積漏れが生じないようにしている。
【０００５】
ところで、この種の通信装置では、画像メモリ、増設メモリとしてＳＤＲＡＭが使用されている場合には、そこに蓄積している画像データを保持するため、メモリコントローラの制御により、所定間隔でリフレッシュモード設定信号を画像メモリ、増設メモリの各々に出力して、それぞれのメモリでリフレッシュ処理を行わせるようにしている。
【特許文献１】特開２００４−１１２７１８号公報
【発明の開示】
【発明が解決しようとする課題】
【０００６】
ところで、ＳＤＲＡＭがリフレッシュ処理を行う際には、数ｍＡ程度のある程度大きな電流を必要とし、ＳＤＲＡＭの数が増加すれば、それだけ消費電力の消耗が激しくなる。
【０００７】
一方、ＳＤＲＡＭは、セルフリフレッシュモードを実行でき、蓄積されている画像データの保持を、数μＡ程度の電流により行うことができる。
【０００８】
そもそも増設メモリは、画像メモリとは異なって、原則、画像データの書き込み、読み込み先として使用されるものではなく、画像メモリの容量が不足した際に、画像データの書き込みを行ったり、その読み出しを行うためにアクセスされる予備的手段として使用されるものである。
【０００９】
従って、増設メモリにアクセスしない場合には、セルフリフレッシュモードを実行させておき、蓄積されている画像データの保持さえできればよい。
【００１０】
本発明は、このような事情を考慮して提案されるものであり、増設メモリにアクセスしない場合には、セルフリフレッシュモードを実行させ、機器全体として消費電力の抑制を図ることのできる電子機器を提供することを目的とする。
【課題を解決するための手段】
【００１１】
上記目的を達成するために、本発明の請求項１では、メモリアクセスのないときには増設メモリをセルフリフレッシュモードに保持する一方、メモリアクセスの対象になったときには、セルフリフレッシュ指令を解除して、データの読出し、書き込みを行うことを特徴とするメモリ制御手段を少なくとも備えている。
請求項２では、メモリ制御手段は、画像メモリ、増設メモリには、常時はリフレッシュモード設定信号を送出しており、増設メモリがアクセスされないときには、セルフリフレッシュモード設定信号に切換えるようにしている。
請求項３では、電子機器は、ファクシミリ装置、プリンタ装置、ネットワークスキャナ装置、あるいはそれらの少なくとも２以上の機能を備えた複合機である。
【発明の効果】
【００１２】
請求項１、２によれば、メモリアクセスのないときには増設メモリをセルフリフレッシュモードに保持するので、機器全体としての消費電力の抑制を図ることができる。
【００１３】
請求項３によれば、請求項１、２の機能を備える複合機を提供できる。
【発明を実施するための最良の形態】
【００１４】
以下に、本発明の実施の形態について説明する。
【実施例１】
【００１５】
図１は、本発明による電子機器（例えばファクシミリ複合機）のメモリ制御手段と画像メモリとの基本的な接続構成を示すブロック図である。
【００１６】
この電子機器Ｆは、メモリ制御手段を構成するＣＰＵ／メモリコントローラ１と、画像メモリ２と、増設メモリ３（＃１，＃２）と、管理メモリ４とを少なくとも備え、ＣＰＵ／メモリコントローラ１と、ＳＤＲＡＭで構成される各々のメモリ２，３とは、図のように、アドレスバス、データバス、ＲＡＳ信号線、ＣＡＳ信号線、チップセレクト信号線、ＣＫＥ信号線、クロック信号線とを通じて接続されている。特に、ＣＫＥ信号線については、ＣＫＥ信号を許可／禁止するＡＮＤ回路５（＃１，＃２）を設けることにより、個々の増設メモリ３に対して、ＣＫＥ信号としてレベル「０」を入力可能な構成にしている。
【００１７】
なお、本実施例ではＣＫＥ信号をＡＮＤ回路５を使用して制御する構成としたが、ＡＮＤ回路５無しでＣＰＵから直接ＣＫＥ信号（例えばＣＫＥ２、ＣＫＥ３）を出力するようにしてもよい。
【００１８】
ＣＰＵ／メモリコントローラ１は、画像メモリ２、増設メモリ３に対して、クロック信号に同期してＲＡＳ信号線、ＣＡＳ信号線等の論理の組合せで規定されるコマンドを出力してアクセス制御し、リフレッシュコマンドを定期的に出力して、それらの記憶内容を保持させている。
【００１９】
画像メモリ２や、増設メモリ３は、上述のようにＳＤＲＡＭで構成されているが、その構成、仕様等は公知である。また、管理メモリ４は、例えばＳＲＡＭ等で構成できる。
【００２０】
次いで、この電子機器Ｆのメモリ制御の基本動作を説明する。
【００２１】
電子機器Ｆのメモリ制御手段１は、画像データの受信や印字出力の際に、画像メモリ２ないし増設メモリ３に対して、画像データを書き込み保存し、更に、必要に応じて適宜、読み出したり、消去したりする基本動作をなす。このため、管理メモリ４には、それら画像データを参照するためのデータを、管理テーブルとして登録しており、画像データを書き込み保存するときには、増設メモリ３よりも画像メモリ２を優先させて利用するようになっている。
【００２２】
すなわち、相手先装置のポーリング受信のための画像データ、通信ネットワークを通じて受信した画像データは、通常は、画像メモリ２に書き込まれるが、画像データが画像メモリ２の容量を越えてしまう場合には、増設メモリ３に書き込まれ、適宜読み出される。
【００２３】
従って、この電子機器Ｆでは、画像メモリ２は高頻度でアクセスされるが、増設メモリ３は、高頻度にはアクセスされないことになる。このような構成では、増設メモリ３がアクセスされない期間は、それらを省エネルギー状態にして消費電力を低減させることが合理的であるが、本発明では、そのような省エネルギーを、以下の説明のようにして達成している。
【００２４】
ここで、ＳＤＲＡＭのリフレッシュについて説明すると、ＳＤＲＡＭでは、記憶内容を保持するために、定期的なリフレッシュが必要であるが、通常の動作状態では、リフレッシュコマンドを入力してリフレッシュを実行させている。それ以外には、セルフリフレッシュによるリフレッシュが可能であり、ＳＤＲＡＭをセルフリフレッシュ状態にすれば、リフレッシュがＳＤＲＡＭの内部で自動的に実行される。
【００２５】
ＳＤＲＡＭにおける通常状態からセルフリフレッシュ状態へ移行させる手順は、規格化されており、リフレッシュコマンドと同時に、ＣＫＥ信号としてレベル「０」を入力すれば、ＳＤＲＡＭは、セルフリフレッシュ状態へ移行し、その後は、ＣＫＥ信号がレベル「１」になるまで、セルフリフレッシュ状態を継続するようになっている。
【００２６】
そのため、電子機器Ｆは、ＣＰＵ／メモリコントローラ１から出力されるＣＫＥ信号のレベルを０として、増設メモリ３に対して入力できるようにしており、リフレッシュコマンドと同期させて、各々のＡＮＤ回路５（＃１，＃２）に対して、ＣＰＵ／メモリコントローラ１よりレベル「０」のセルフリフレッシュモード設定信号を出力するようにしている。
【００２７】
すると、増設メモリ３の各々には、ＡＮＤ回路５から、レベル０のＣＫＥ信号が入力され、セルフリフレッシュモードが実行される。
【００２８】
一方、セルフリフレッシュモードを開始した後、増設メモリ３のアクセスがあったときには、レベル「１」のセルフリフレッシュモード設定解除信号をＡＮＤ回路５に入力する。すると、ＡＮＤ回路５からは、増設メモリ３に対してレベル「１」のＣＫＥ信号が入力されて、セルフリフレッシュモードが解除され、通常のリフレッシュモードに移行する。
【００２９】
そして、セルフリフレッシュモードを解除した増設メモリ３を使用した画像データの書き込み、読み出しを行うべく、その増設メモリ３に対してチップセレクト信号を出力する。
【００３０】
ＣＰＵ／メモリコントローラ１は、画像メモリ２、増設メモリ３にアクセスのあったときには、その旨が管理メモリ４に書き込まれるので、それを参照して、セルフリフレッシュモードを解除すべき増設メモリ３を決定する。
【００３１】
図２のフローチャート１００〜１１１は、このような増設メモリ省エネモードの基本動作の一例を示している。
【００３２】
ＣＰＵ／メモリコントローラ１は、増設メモリ３が付加搭載されているときにはセルフリフレッシュモードを増設メモリ３に開始させる。
【００３３】
そして、画像メモリ２、増設メモリ３のいずれかへのアクセスがあれば、それが画像メモリ２であれば、そのメモリ２を使用した画像データの書き込み、読み出しを行い、増設メモリ３であれば、アクセスのあった増設メモリ３のセルフリフレッシュモードを解除し、その増設メモリ３を使用した画像データの書き込み、読み出しを行う。
【００３４】
画像データの書き込み、読み出しが終了すれば、ＣＰＵ／メモリコントローラ１は、画像メモリ２、増設メモリ３に対して、セルフリフレッシュモードを開始させる。
【００３５】
図３は、このような電子機器Ｆを、ファクシミリ装置に適用した一例を示す図である。なお、ファクシミリ装置に限られず、プリンタ装置、ネットワークスキャナ装置などの複合機であってもよい。
【００３６】
この電子機器Ｆは、ＣＰＵ／メモリコントローラ１と、画像メモリ２と、増設メモリ３と、管理メモリ４と、電話回線Ｌに対する接続制御を行うＮＣＵ６と、ファクシミリ通信に必要な各種信号の変復調を行うモデム７と、ＲＡＭ８と、ＲＯＭ９と、表示操作部１０と、読取部１１と、コーデック１２と、プリンタ１３と、外部接続インタフェース１４とを備える。
【図面の簡単な説明】
【００３７】
【図１】本発明の要部構成の一例を示すブロック図
【図２】本発明の増設メモリ省エネモードの基本動作の一例を示すフローチャート
【図３】本発明をファクシミリ装置に適用した一例を示すブロック図
【符号の説明】
【００３８】
Ｆ  電子機器
１  ＣＰＵ／メモリコントローラ
２  画像メモリ
３  増設メモリ
【図１】
2006262099.tif 000003
【図２】
2006262099.tif 000004
【図３】
2006262099.tif 000005